(57)【要約】【課題】撮影によって得られた画像データに対して位置情報の付加を容易に行う。【解決手段】自動車等の車両に設置されるカーナビゲーション装置において、時刻と位置とが関係付けられた位置データを例えば５分おきに作成し、内部メモリにテーブルデータとして書き込む。複数回の撮影を行ったデジタルカメラをカーナビゲーション装置に接続すると、最後に接続された時刻を示す時刻情報がデジタルカメラからカーナビゲーション装置に送信される。これを受けて、カーナビゲーション装置からデジタルカメラに該時刻以降に書き込まれた位置データがデジタルカメラに送信される。その後、位置データに基づいて、撮影位置情報が付加されていない画像データの撮影時刻情報と位置データの時刻とから撮影された場所を特定し、該特定された場所を撮影位置情報として画像データに付加する。【選択図】        図５
2007089075.tif 000002
【特許請求の範囲】
【請求項１】
撮影した際に得られる画像データに対して、撮影時の時刻を示す撮影時刻情報を付加するデータ付加手段と、このデータ付加手段によって撮影時刻情報が付加された画像データを記憶する画像データ記憶手段を備えた撮像装置であって、
前記撮像装置は、現在位置を示す現在位置情報を取得して、該現在位置情報と地図情報とから目的地までの経路誘導を行うナビゲーション装置と接続可能であり、
前記ナビゲーション装置と接続されたときに、このナビゲーション装置に記憶された前記現在位置情報と時刻情報とが関連付けられた位置データを記憶するデータ記憶手段と、前記画像データに付加された撮影時刻情報と前記位置データとから生成された、撮影時の位置を示す撮影位置情報を前記画像データに付加するデータ付加手段と、撮影位置情報が付加された画像データを前記画像データ記憶手段に書き込むデータ書き込み手段とを備えたことを特徴とする撮像装置。
【請求項２】
現在位置を示す現在位置情報を取得して、該現在位置情報と地図情報とから目的地までの経路誘導を行うナビゲーション装置であって、
前記ナビゲーション装置は、撮影することによって得られた画像データに対して、撮影時の時刻を示す撮影時刻情報を付加するデータ付加手段と、前記撮影時刻情報が付加された画像データを記憶する画像データ記憶手段とを備えた撮像装置と接続可能であり、
取得された現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された撮影時刻情報と前記位置データの時刻情報とから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたことを特徴とするナビゲーション装置。
【請求項３】
車両の現在位置情報と時刻情報とが関連付けられた位置データを所定時間毎に作成する位置データ作成手段と、このデータ作成手段によって作成された位置データを記憶する位置データ記憶手段とを備えたナビゲーション装置と、
撮影時の時刻を示す撮影時刻情報が付加された画像データを記憶する画像データ記憶手段と、前記ナビゲーション装置と接続されたときに、前記画像データに付加された撮影時刻情報と前記位置データとから撮影時の位置を特定し、特定された撮影時の位置を示す撮影位置情報を前記画像データに付加するデータ付加手段と、このデータ付加手段によって撮影位置情報が付加された画像データを前記画像データ記憶手段に書き込むデータ書き込み手段とを備えた撮像装置と、からなることを特徴とする位置情報記憶システム。
【請求項４】
撮影することによって得られた画像データに対して、撮影された時刻を示す撮影時刻情報を付加するデータ付加手段と、撮影時刻情報が付加された画像データを記憶する画像データ記憶手段とを備えた撮像装置と、
車両の現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された時刻情報と前記位置データとから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたナビゲーション装置と、からなることを特徴とする位置情報記憶システム。
【発明の詳細な説明】
【技術分野】
【０００１】
本発明は、撮影時の位置情報が付加された画像データを作成する撮像装置、ナビゲーション装置、及び位置情報記憶システムに関するものである。
【背景技術】
【０００２】
ＣＣＤイメージセンサ等のイメージセンサで撮像された被写体画像を画像データに変換し、内蔵メモリやメモリーカード等の記憶媒体に記録するデジタルカメラが普及している。このようなデジタルカメラでは、得られた画像データには撮像時の時刻を示す時刻情報が付与されており、上述した画像データをデジタルカメラに設けられたＬＣＤ等の表示装置に表示したときに、同時に表示できるようになっている。
【０００３】
最近では、時刻情報の他に、撮影時の位置情報を、画像データに付与することができるようにしたデジタルカメラが考案されている。このようなデジタルカメラの場合、ＧＰＳ（Ｇｌｏｂａｌ  Ｐｏｓｉｔｉｏｎｉｎｇ  Ｓｙｓｔｅｍ）受信機を内蔵しており、ＧＰＳ衛星からの信号から得られる撮像時の緯度、経度等の位置情報を撮像した画像データとともに記録している。しかしながら、ＧＰＳ受信機をデジタルカメラに内蔵した場合、カメラ自体のコストが高くなる他に、カメラの消費電力が高くなるという問題がある。また、この他に、位置情報を受信しているときには、デジタルカメラにおいて撮影ができないという欠点や、例えば屋内など、位置情報を受信できない場合があるという課題がある。このような問題や課題を解決する方法として、例えば自動車等の車両に設置されたナビゲーション装置から無線等を使用して、位置情報をデジタルカメラに転送することが考案されている（例えば、特許文献１、２等）。
【特許文献１】特開２００２−２７１７２３号公報
【特許文献２】特開２００４−７５０３号公報
【発明の開示】
【発明が解決しようとする課題】
【０００４】
しかしながら、ナビゲーション装置からデジタルカメラに対して位置情報を無線にて転送する場合、該無線にて送信された位置情報を受信するための通信装置をデジタルカメラに内蔵する必要があり、デジタルカメラのコストが上がる、或いは消費電力が大きくなるという問題や、通信不可の場所では位置情報を取得することができない、或いは位置情報の取得時には、デジタルカメラにおいて撮影ができないという課題を解決するための有効な手段であるとは言い難い。
【０００５】
本発明は、上記課題を解決するためになされたものであり、撮影時に位置情報を取得しなくても、撮影によって得られた画像データに対して位置情報の付加を容易に行うことができるようにした撮像装置、ナビゲーション装置、及び位置情報記憶システムを提供することを目的とする。
【課題を解決するための手段】
【０００６】
本発明の撮像装置は、撮影した際に得られる画像データに対して、撮影時の時刻を示す撮影時刻情報を付加するデータ付加手段と、このデータ付加手段によって撮影時刻情報が付加された画像データを記憶する画像データ記憶手段を備えた撮像装置であって、前記撮像装置は、現在位置を示す現在位置情報を取得して、該現在位置情報と地図情報とから目的地までの経路誘導を行うナビゲーション装置と接続可能であり、前記ナビゲーション装置と接続されたときに、このナビゲーション装置に記憶された前記現在位置情報と時刻情報とが関連付けられた位置データを記憶するデータ記憶手段と、前記画像データに付加された撮影時刻情報と前記位置データとから生成された、撮影時の位置を示す撮影位置情報を前記画像データに付加するデータ付加手段と、撮影位置情報が付加された画像データを前記画像データ記憶手段に書き込むデータ書き込み手段とを備えたことを特徴とする。
【０００７】
また、本発明のナビゲーション装置は、現在位置を示す現在位置情報を取得して、該現在位置情報と地図情報とから目的地までの経路誘導を行うナビゲーション装置であって、前記ナビゲーション装置は、撮影することによって得られた画像データに対して、撮影時の時刻を示す撮影時刻情報を付加するデータ付加手段と、前記撮影時刻情報が付加された画像データを記憶する画像データ記憶手段とを備えた撮像装置と接続可能であり、取得された現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された撮影時刻情報と前記位置データの時刻情報とから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたことを特徴とする。
【０００８】
また、本発明の位置情報記憶システムによれば、車両の現在位置情報と時刻情報とが関連付けられた位置データを所定時間毎に作成する位置データ作成手段と、このデータ作成手段によって作成された位置データを記憶する位置データ記憶手段とを備えたナビゲーション装置と、撮影時の時刻を示す撮影時刻情報が付加された画像データを記憶する画像データ記憶手段と、前記ナビゲーション装置と接続されたときに、前記画像データに付加された撮影時刻情報と前記位置データとから撮影時の位置を特定し、特定された撮影時の位置を示す撮影位置情報を前記画像データに付加するデータ付加手段と、このデータ付加手段によって撮影位置情報が付加された画像データを前記画像データ記憶手段に書き込むデータ書き込み手段とを備えた撮像装置と、からなることを特徴とする。
【０００９】
また、本発明の位置情報記憶システムは、撮影することによって得られた画像データに対して、撮影された時刻を示す撮影時刻情報を付加するデータ付加手段と、撮影時刻情報が付加された画像データを記憶する画像データ記憶手段とを備えた撮像装置と、車両の現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された時刻情報と前記位置データとから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたナビゲーション装置と、からなることを特徴とする。
【００１０】
なお、上述した撮像装置としては、デジタルカメラ、デジタルビデオカメラの他に、カメラ機能付き携帯型電話機等が挙げられる。また、ナビゲーション装置としては、自動車等の車両に設置されるカーナビゲーション装置の他に、位置情報を取得可能な携帯型端末を挙げることができる。
【発明の効果】
【００１１】
本発明の撮像装置によれば、撮影した際に得られる画像データに対して、撮影時の時刻を示す撮影時刻情報を付加するデータ付加手段と、このデータ付加手段によって撮影時刻情報が付加された画像データを記憶する画像データ記憶手段を備えた撮像装置であって、前記撮像装置は、現在位置を示す現在位置情報を取得して、該現在位置情報と地図情報とから目的地までの経路誘導を行うナビゲーション装置と接続可能であり、前記ナビゲーション装置と接続されたときに、このナビゲーション装置に記憶された前記現在位置情報と時刻情報とが関連付けられた位置データを記憶するデータ記憶手段と、前記画像データに付加された撮影時刻情報と前記位置データとから生成された、撮影時の位置を示す撮影位置情報を前記画像データに付加するデータ付加手段と、撮影位置情報が付加された画像データを前記画像データ記憶手段に書き込むデータ書き込み手段とを備えたから、ナビゲーション装置と接続するだけで、撮影時の位置情報を容易に画像データに付加することができ、撮影の際に位置情報を取得する手間を省くことができる。
【００１２】
また、本発明のナビゲーション装置によれば、現在位置を示す現在位置情報を取得して、該現在位置情報と地図情報とから目的地までの経路誘導を行うナビゲーション装置であって、前記ナビゲーション装置は、撮影することによって得られた画像データに対して、撮影時の時刻を示す撮影時刻情報を付加するデータ付加手段と、前記撮影時刻情報が付加された画像データを記憶する画像データ記憶手段とを備えた撮像装置と接続可能であり、取得された現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された撮影時刻情報と前記位置データの時刻情報とから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたから、ナビゲーション装置にデジタルカメラ等の撮像装置を接続するだけで、撮影時の位置情報を容易に画像データに付加することができ、撮影の際に位置情報を取得する手間を省くことができる。
【００１３】
また、本発明の位置情報記憶システムによれば、車両の現在位置情報と時刻情報とが関連付けられた位置データを所定時間毎に作成する位置データ作成手段と、このデータ作成手段によって作成された位置データを記憶する位置データ記憶手段とを備えたナビゲーション装置と、撮影時の時刻を示す撮影時刻情報が付加された画像データを記憶する画像データ記憶手段と、前記ナビゲーション装置と接続されたときに、前記画像データに付加された撮影時刻情報と前記位置データとから撮影時の位置を特定し、特定された撮影時の位置を示す撮影位置情報を前記画像データに付加するデータ付加手段と、このデータ付加手段によって撮影位置情報が付加された画像データを前記画像データ記憶手段に書き込むデータ書き込み手段とを備えた撮像装置と、からなるから、ナビゲーション装置と撮像装置とを接続するだけで、撮影時の位置情報を容易に画像データに付加することができ、撮影の際に位置情報を取得する手間を省くことができる。
【００１４】
また、本発明の位置情報記憶システムによれば、撮影することによって得られた画像データに対して、撮影された時刻を示す撮影時刻情報を付加するデータ付加手段と、撮影時刻情報が付加された画像データを記憶する画像データ記憶手段とを備えた撮像装置と、車両の現在位置情報と時刻情報とが関連付けられた位置データを所定時間毎に作成する位置データ作成手段と、この位置データ作成手段によって作成された位置データを記憶する位置データ記憶手段と、前記撮像装置と接続されたときに、前記画像データ記憶手段に記憶された画像データを読み出すデータ読み出し手段と、読み出された画像データに付加された時刻情報と前記位置データとから撮影時の位置を特定し、特定された撮影時の位置を示す撮影位置情報を画像データに付加するデータ付加手段と、このデータ付加手段によって撮影位置情報が付加された画像データを、前記撮像装置の画像データ記憶手段に書き込む書き込み手段とを備えたナビゲーション装置と、からなるので、ナビゲーション装置と接続するだけで、撮影時の位置情報を容易に画像データに付加することができ、撮影の際に位置情報を取得する手間を省くことができる。
【発明を実施するための最良の形態】
【００１５】
図１は、第１の実施形態の位置情報記録システムを示す概略図である。位置情報記録システム１０は、デジタルカメラ１１と、カーナビゲーション装置１２とから構成される。カーナビゲーション装置１２はＧＰＳ衛星８０（図４参照）からの信号を受けて、設置された自動車等の車両の現在位置情報を取得し、目的地まで経路誘導するために設けられている。このカーナビゲーション装置１２は、図示しない地図データベース等を有するカーナビゲーション装置本体１５に、ＧＰＳ衛星８０からの信号を受信するＧＰＳアンテナ１６や、例えば液晶モニタ等の表示装置１７がケーブル１８，１９等によってそれぞれ接続されている。なお、このカーナビゲーション装置本体１５には、デジタルカメラ１１が例えばケーブル２０によって接続される。なお、本実施形態は、ナビゲーション装置の例として、カーナビゲーション装置を取り上げるが、これに限定する必要はなく、例えばＧＰＳ機能付きの携帯型端末を用いることも可能である。
【００１６】
図２は、デジタルカメラ１１の正面を示す斜視図、図３は、その背面を示す斜視図である。デジタルカメラ１１の前面には、撮影レンズ２５、ストロボ発光部２６、光学ファインダ２７の対物窓２７ａ、レンズバリア２８が設けられている。レンズバリア２８は撮影レンズ２５、ストロボ発光部２６を覆った閉じ位置と、図２で示されるように、それらの前面から退避して撮影可能な状態にした開き位置との間でスライド自在にされている。
【００１７】
撮影レンズ２５の奥にはＣＣＤイメージセンサ５２（図４参照）が配されている。ＣＣＤイメージセンサ５２で撮像された被写体画像は、デジタルカメラ１１の背面に設けられたＬＣＤ（液晶ディスプレイ）３０に、所謂スルー画像として表示される。このようにＬＣＤ３０はスルー画像を表示する他に、撮影済みの被写体画像の再生にも用いられる。また、背面には光学ファインダ２７の接眼窓２７ｂが設けられており、光学ファインダ２７を用いてフレーミングを行うことができる。
【００１８】
デジタルカメラ１１の背面には、ＬＣＤ３０の他に、電源のオン／オフ切替を行う電源ボタン３１、撮影レンズ２５をズーミングするズーム操作ボタン３２、各種モードを選択するモードボタン３３、再生画像の選択やＬＣＤ３０に表示される設定画面で各種の設定等を行う操作キー部３４が設けられている。操作キー部３４は、４方向のカーソルキー３４ａと、決定ボタン３４ｂからなる。なお、モードボタン３３の操作によって選択される動作モードとしては、静止画撮影を行う撮影モード、メモリーカード３７に記録されている撮影画像をＬＣＤ３０に表示する再生モード、及び各種設定を行うセットアップモードの他に、接続モードがある。なお、接続モードは、デジタルカメラ１１と、カーナビゲーション装置１２とがケーブル２０によって接続された際に自動的に移行するモードであり、この接続モードに移行すると、メモリーカード３７に記憶された画像データのうち、撮影箇所を示す撮影位置情報が付加されていない撮影付加情報が付帯された画像データに対して、撮影位置情報の付加処理が行われる。
【００１９】
デジタルカメラ１１の上面には、レリーズボタン３５が設けられている。このレリーズボタン３５を押圧操作することにより、静止画の撮影が行われる。このデジタルカメラ１１の側面には、メモリーカード３７を装着するメモリースロット３６や、例えばケーブル２０を接続するためのコネクタ３８等が設けられている。
【００２０】
図４は、デジタルカメラ１１及びカーナビゲーション装置１２の電気的構成を示す機能ブロック図である。デジタルカメラ１１は、マイクロコンピュータ４５によって統括的に制御される。マイクロコンピュータ４５は、ＣＰＵや制御プログラムや参照データ等が記録されたＲＯＭ、ＣＰＵの各種演算処理を行う際の作業エリアとなるＲＡＭ等から構成される。
【００２１】
このマイクロコンピュータ４５は時計回路４６を備えており、後述する情報生成部６５に、時刻情報を送信する。また、デジタルカメラ１１がカーナビゲーション装置１２に接続されたときに、マイクロコンピュータ４５は内部メモリ６１を参照して、最後にカーナビゲーション装置１２からデータ収集を実行した時刻を取得して、該時刻をカーナビゲーション装置１２に送信する。この送信の後に、カーナビゲーション装置１２から、最後にデータ収集された時刻以降に記憶された位置データが送信されるので、マイクロコンピュータ４５は、受信された位置データを内部メモリ６１に書き込むとともに、時計回路４６を参照して、通信が行われた時刻を内部メモリに書き込む。なお、この位置データは、時刻と、該時刻における位置（緯度、経度）が関連付けられたデータである。さらに、マイクロコンピュータ４５は、メモリースロット３６に差し込まれたメモリーカード３７を参照して、最後にデータ収集された時刻以降に撮影された画像データを読み出して、内部メモリ６１に該画像データを書き込む。
【００２２】
操作部４７は、レリーズボタン３５、電源ボタン３１、ズーム操作ボタン３２、モードボタン３３、操作キー部３４から構成され、この操作部４７からの操作信号に基づいてマイクロコンピュータ４５は、各部の動作を制御する。
【００２３】
撮影レンズ２５は、ズーム操作ボタン３２の操作に応じて、ズームモータ等から構成されるズーム機構５０によって駆動されることで焦点距離が変化する。撮影レンズ２５の焦点距離を検出する焦点距離検出手段としてのズームセンサ５１は、撮影レンズ２５の焦点距離に応じたズーム検出信号を出力する。なお、ズームセンサ５１を用いずに、マイクロコンピュータ４５にてズームモータに送る駆動信号の時間あるいは駆動パルス数によりズーム位置（撮影レンズの焦点距離）を検出できる。さらに、電子ズームでは、設定したズーム倍率にて検出できる。
【００２４】
撮影レンズ３を透過した被写体光は、ＣＣＤイメージセンサ５２の受光面に結像される。ＣＣＤイメージセンサ５２の受光面に結像された被写体像は、入射光量に応じた量の電荷に変換されて蓄積され、その蓄積電荷に応じた電圧のアナログ画像信号として順次に出力される。ＣＣＤイメージセンサ５２は、電荷の蓄積時間をコントロールする、いわゆる電子シャッタにより露光時間を調節する。
【００２５】
ＣＣＤイメージセンサ５２からのアナログ画像信号は、ＣＤＳ（相関二重サンプリング）回路５３によってノイズ除去が行われた後に、ＡＭＰ（増幅器）５４にて増幅され、Ａ／Ｄ変換器５５に入力される。このＡ／Ｄ変換器５５によってＲ，Ｇ，Ｂの画像データに変換される。Ａ／Ｄ変換器５５からの画像データは、画像信号処理部６０に入力される。
【００２６】
バス５６は、マイクロコンピュータ４５や画像信号処理部６０や、内部メモリ６１等を相互に接続している。このバス５６に接続された各部は、それを介してマイクロコンピュータ４５によって制御されるとともに、相互間でデータの授受を行うことが可能になっている。
【００２７】
画像信号処理部６０は、スルー画像を表示する際には、Ａ／Ｄ変換器５５からの画像データに対して、γ補正やホワイトバランス補正，コントラスト補正等の画像処理を行い、処理済の画像データをドライバ６２に送る。また、静止画の撮影時には、画像信号処理部６０は、上記画像処理に加えて、Ｒ，Ｇ，Ｂの画像データを輝度信号と色差信号とに対応するＹ，Ｃｂ，Ｃｒの画像データに変換するＹＣ変換処理，その画像データを所定の圧縮形式、例えばＪＰＥＧ形式に圧縮する圧縮処理を行うとともに、撮影付加情報をタグとして画像データに付加する。さらに、再生モード下では、画像信号処理部６０は、メモリーカード３７から読み出した画像データを伸長する伸長処理、Ｙ，Ｃｂ，Ｃｒの画像データをＲ，Ｇ，Ｂの画像データに変換するＲＧＢ変換処理を行う。このＲＧＢ変換処理が終了した後、画像信号処理部６０は、撮影付加情報が付加された画像データをメディアコントローラ６３に送る。また、接続モードに移行した場合、画像信号処理部６０は、情報生成部６５で生成された撮影位置情報が付加された撮影付加情報を、新たな撮影付加情報として画像データに付加する。
【００２８】
情報生成部６５は、シャッタボタン３５が操作されたときに、撮影時の設定情報や、撮影時の日時や時刻を示す撮影時刻情報等からなる撮影付加情報を作成する。また、デジタルカメラ１１が接続モードに移行したときに作動され、内部メモリ６１に書き込まれた画像データに付加された撮影付加情報のうちの撮影時刻情報と、内部メモリ６１に記憶された位置データとから、撮影が行われた位置を特定して撮影位置情報を生成する。生成された撮影位置情報は画像信号処理部６０に送られ、画像データにタグとして付加される。なお、撮影位置情報としては、緯度・経度の情報の他に、緯度経度から得られる場所の名称（例えば、ランドマーク）、或いは住所の情報が挙げられる。
【００２９】
内部メモリ６１は、メモリーカード３７に記録するための処理中の画像データや、再生中の撮影画像の画像データとそれに対応する撮影付加情報が記録される。これらの各種データは、処理に応じてマイクロコンピュータ４５，画像信号処理部６０によって読み出される。また、この他に、カーナビゲーション装置１２から読み出された位置データが記録される。
【００３０】
ドライバ６２は、入力されるデータに基づいてＬＣＤ３０を駆動する。撮影モード下では、Ａ／Ｄ変換器５５からの画像データが画像信号処理部６０で画像処理されて、次々にドライバ６２に送られる。これによりＬＣＤ３０には、スルー画像が表示される。また、再生モードの場合には、メモリーカード３７から読み出され、画像信号処理部６０で伸長処理、ＲＧＢ変換処理が行われた画像データがドライバ６２に送られることにより、メモリーカード３７に記録されている撮影画像がＬＣＤ３０に表示される。
【００３１】
メディアコントローラ６３は、メモリーカード６１の読み出し及び書き込みを行う。撮影モード時では、レリーズボタン３５の操作に応答して撮影された１フレーム分の画像データが画像信号処理部６０からメディアコントローラ６３に入力されて、メモリーカード３７に記録される。また、再生モード下では、メディアコントローラ６３は、メモリーカード３７から画像データを読み出して画像信号処理部６０に送る。なお、記録媒体としては、メモリーカード３７に限らず、デジタルカメラに内蔵されたメモリ等であってもよい。
【００３２】
通信Ｉ／Ｆ（インタフェース）６５は、コネクタ３８を有し、そのコネクタ３８を介してカーナビゲーション装置１２が接続される。なお、上述したように、デジタルカメラ１１のコネクタ３８にカーナビゲーション装置１２に接続されたケーブル２０が接続されると、マイクロコンピュータ４５は、動作モードを接続モードに切り替えて、操作部４５からの操作信号を無効にするとともに、ＬＣＤ３０の駆動を停止させる。
【００３３】
カーナビゲーション装置１２は、マイクロコンピュータ７０によって統括的に制御され、例えば、ナビゲーション装置本体１５に設けられた操作部７１の操作によって出力される信号に基づいて各部の処理を実行させる。マイクロコンピュータ７０は、ＣＰＵや制御プログラムや参照データ等が記録されたＲＯＭ、ＣＰＵの各種演算処理を行う際の作業エリアとなるＲＡＭ等から構成される。このマイクロコンピュータ７０は時計回路７２を備えており、マイクロコンピュータ７０は、この時計回路７２を参照することによって、データ作成部７５を所定時間毎に作動させる。
【００３４】
このマイクロコンピュータ７０には、バス７３を介してＧＰＳモジュール７４、データ作成部７５、ディスクドライブ７６、内部メモリ７７等が接続され、それら間でデータ授受が行われる。また、この他に、通信Ｉ／Ｆ７８が接続されており、外部装置との接続が可能となっている。
【００３５】
ＧＰＳモジュール７４は、ＧＰＳアンテナ１６を介して複数のＧＰＳ衛星８０からの信号を受信することにより、カーナビゲーション装置１２の位置（緯度、経度）、つまり現在の車両の位置を現在位置情報として出力する。
【００３６】
データ作成部７５は、カーナビゲーション装置１２に給電が開始されることを契機にして作動し、作動したときの時刻と、その時刻における現在位置とを関連付けた位置データを作成し、内部メモリ７７に記憶する。また、データ作成部７５は、所定時間が経過する毎に作動して位置データを作成し、内部メモリ７７に記憶していく。この内部メモリ７７には、データ作成部７５で作成された複数の位置データは、テーブルデータ７９としてまとめられて記憶される（図６参照）。なお、カーナビゲーション装置１２は、自動車等の車両に設置されているため、時間単位で位置データの作成を行うと、その間の経路が特定できなくなるので、データ作成部７５の作動間隔は、分単位で行われることが好ましい。また、カーナビゲーション装置１２への給電が停止された際にも、データ作成部７５による位置データの作成が行われ、該位置データが内部メモリ７７に書き込まれる。
【００３７】
ディスクドライブ７６は、例えば、ＣＤ−ＲＯＭやＤＶＤ−ＲＯＭ等の光学記録媒体や、がセットされるドライブの他に、ハードディスクドライブ等のディスクドライブからなる。このディスクドライブにセットされる記録媒体には、地図や、地名等のテキスト情報を含む地図情報が記録されており、ＧＰＳモジュール７４によって得られた現在位置情報から、現在の現在位置付近の地図情報を読み出して、ＬＣＤ１７上に地図画像を表示し、さらに表示された地図画像上に現在の車両の位置を示す指標を重ねて表示する。なお、符号８１はドライバであり、ＬＣＤ１７の表示制御を行うものである。
【００３８】
次に、本実施形態の作用について説明する。まず、自動車のエンジンを始動させると、カーナビゲーション装置１２に給電が行われ、カーナビゲーション装置１２が起動する。このカーナビゲーション装置１２が起動すると、ＧＰＳ衛星８０からの信号をＧＰＳアンテナ１６が受信するので、ＧＰＳモジュール７４から現在位置情報が出力される。また、カーナビゲーション装置１２の起動によりデータ作成部７５が作動し、給電が行われたときの時刻と、そのときの位置を対応付けた位置データを作成し、作成された位置データを内部メモリ７７にテーブルデータ７９として記憶する。なお、マイクロコンピュータ７０は時計回路７２を備えているから、マイクロコンピュータ７０は、例えば５分おきにデータ作成部７５を作動させ、作成された位置データをテーブルデータ７９として内部メモリ７７に書き込む。なお、目的地まで自動車で移動しエンジンを停止させると、カーナビゲーション装置１２に対する給電が停止されるので、マイクロコンピュータ７０はテーブル作成部７５を作動させて、位置データを内部メモリ７７に書き込む。このようにして、自動車で移動を行った場合には、５分おきに位置データが作成され、内部メモリ７７にテーブルデータ７９として記憶される。
【００３９】
例えば目的地にてデジタルカメラ１１を用いて撮影を行って次の目的地まで自動車で移動する間に、デジタルカメラ１１と、カーナビゲーション装置１２とをケーブル２０によって接続する場合がある。図５に示すように、デジタルカメラ１１と、カーナビゲーション装置１２とを接続すると、デジタルカメラ１１の動作モードが接続モードに切り替わる。接続モードに移行すると、デジタルカメラ１１のマイコンピュータ４５によって、内部メモリ６１に書き込まれた最後にデータ収集された時刻を示す時刻情報が読み出され、この時刻情報がカーナビゲーション装置１２に送信される。
【００４０】
カーナビゲーション装置１２のマイコンピュータ７０にデジタルカメラ１１からの時刻情報を受信すると、内部メモリ７７に記憶されたテーブルデータ７９を参照し、最後にデータ収集された時刻以降に書き込まれた位置データを読み出してデジタルカメラ１１に送信する。デジタルカメラが位置データを受信すると、この位置データを内部メモリ６１に書き込む。例えば、図６に示すように、デジタルカメラ１１がカーナビゲーション装置１２に接続された時刻が「２００５／０５／０１  ２２：００」となり、最後にデータ収集が行われた時刻が「２００５／０５／０１  ８：４０」となる場合には、テーブルデータ７９から、「２００５／０５／０１  ８：４０」から「２００５／０５／０１  ２２：００」までの位置データがカーナビゲーション装置１２のマイクロコンピュータ７０によって読み出され、デジタルカメラ１１に送信される。これら位置データがデジタルカメラ１１に送信されると、デジタルカメラ１１のマイクロコンピュータ４５は、これら位置データを内部メモリ６１に書き込む。
【００４１】
同時に、デジタルカメラ１１のマイコンピュータ４５は、メモリーカード６１に記録された画像データから、撮影位置情報が付加されていない画像データがあるか否かを判定する。そして、撮影位置情報が付加されていない画像データがある場合には、情報生成部６５は、該画像データに付加されている時刻情報と、内部メモリ６１に書き込まれた位置データのうちの時刻情報とをそれぞれ参照して、画像データに付加された撮影時刻情報における撮影位置を特定する。情報生成部６５は、特定された撮影位置を撮影位置情報として作成し、画像信号処理部６０に送る。これにより、新たに作成された撮影位置情報は、画像信号処理部６０において該画像データにタグとして付加される。
【００４２】
例えば画像データに付加された撮影時刻情報から得られる撮影時刻が、「２００５／０５／０１  １５：３０」となる場合、１２時５５分から２１時２４分まではカーナビゲーション装置１２によって得られた位置が変化していない、つまり自動車が移動していないから、撮影位置は「北緯３５°３７’４７”  東経１３９°５３’８”」となるので、この撮影位置に基づいて撮影位置情報が生成される。同様にして、撮影位置情報が付加されていない画像データに対して撮影位置情報が作成され、それぞれの画像データに付加されていく。なお、情報生成部６５における撮影位置情報の生成、及び画像信号処理部６０における画像データへの撮影付加情報の付加は、デジタルカメラ１１の内部で実行されるので、デジタルカメラ１１とカーナビゲーション装置１２とは、接続されたままでも、接続を解除した後に実行されるようにしてもよいものとする。これにより、撮影時に撮影位置情報をデジタルカメラによって受信する必要が無くなるので、撮影時の手間を省くことが可能である。一方、最後にデータ収集が行われた時刻よりも後に撮影が行われていない場合には、撮影位置情報が付加されていない画像データが無いことから、上述した処理は行われない。
【００４３】
一方、自動車にて移動中に撮影が行われることがある。例えば、図７に示すように、時刻Ｔにおいて撮影が行われた場合について説明する。例えば、位置データが作成された時刻Ｔｓにおける位置（検出位置Ｓ）は、「緯度ｎｓ  経度ｅｓ」となり、位置データが作成された時刻Ｔｕにおける位置（検出位置Ｕ）は、「緯度ｎｕ  経度ｅｕ」で示される。これら位置データから、例えば時刻Ｔにおける緯度ｎは、ｎ＝│ｎｕ−ｎｓ│×｛Ｔ／（Ｔｕ−Ｔｓ）｝から、経度は、ｎ＝│ｅｕ−ｅｓ│×｛Ｔ／（Ｔｕ−Ｔｓ）｝からそれぞれ算出される。この場合、実際の移動経路（図７中実線）を、直線（図７中二点差線）の移動経路として考えるため、算出された位置は、必ずしも撮影された位置であるとは言い難いが、撮影された大まかな位置がわかることになる。
【００４４】
第１実施形態では、デジタルカメラと、カーナビゲーション装置とを接続したときに、それぞれが作動するようにしたが、これに限定する必要はなく、例えばデジタルカメラにおいて、カーナビゲーション装置を大容量記憶媒体として認識させるようにしてもよい。この場合、マイクロコンピュータは、直接カーナビゲーション装置の内部メモリを参照して、テーブルデータを参照し、最後にデータ収集が行われた時刻以降に書き込まれた位置データを読み出して、撮影位置情報が付加されていない画像データに対して、撮影位置情報を付加する。
【００４５】
図８は、本発明の第２実施形態の位置情報記録システムを示す機能ブロックである。この第２実施形態は、第１実施形態と同様に、デジタルカメラとカーナビゲーション装置とから構成されるが、デジタルカメラで撮影位置情報を画像データに付加するのではなく、カーナビゲーション装置において、撮影位置情報を画像データに付加するものである。このため、デジタルカメラをカーナビゲーション装置に接続したときには、カーナビゲーション装置は、デジタルカメラを大容量記憶装置として識別するように作動する。なお、以下では、位置情報記録システムとして符号８５を、デジタルカメラとして符号９０を、カーナビゲーション装置として符号１１５をそれぞれ付して説明する。
【００４６】
デジタルカメラ９０は、マイクロコンピュータ９１によって統括的に制御される。マイクロコンピュータ９１は、ＣＰＵや制御プログラムや参照データ等が記録されたＲＯＭ、ＣＰＵの各種演算処理を行う際の作業エリアとなるＲＡＭ等から構成される。このマイクロコンピュータ９１は時計回路９２を備えており、デジタルカメラ９０を用いた撮影が行われたときに後述する情報生成部１０７に時刻情報を送信する。
【００４７】
操作部９３は、レリーズボタン、電源ボタン、ズーム操作ボタン、モードボタン、操作キー部等から構成され、この操作部９３からの操作信号に基づいてマイクロコンピュータ９１は、各部の動作を制御する。
【００４８】
撮影レンズ９４は、ズーム操作ボタンの操作に応じて、ズームモータ等から構成されるズーム機構９５によって駆動されることで焦点距離が変化する。撮影レンズ９４の焦点距離を検出する焦点距離検出手段としてのズームセンサ９６は、撮影レンズ９４の焦点距離に応じたズーム検出信号を出力する。なお、ズームセンサ９６を用いずに、マイクロコンピュータ９２にてズームモータに送る駆動信号の時間あるいは駆動パルス数によりズーム位置（撮影レンズの焦点距離）を検出できる。さらに、電子ズームでは、設定したズーム倍率にて検出できる。
【００４９】
撮影レンズ９４を透過した被写体光は、ＣＣＤイメージセンサ９７の受光面に結像される。ＣＣＤイメージセンサ９７の受光面に結像された被写体像は、入射光量に応じた量の電荷に変換されて蓄積され、その蓄積電荷に応じた電圧のアナログ画像信号として順次に出力される。ＣＣＤイメージセンサ９７は、電荷の蓄積時間をコントロールする、いわゆる電子シャッタにより露光時間を調節する。
【００５０】
ＣＣＤイメージセンサ９７からのアナログ画像信号は、ＣＤＳ（相関二重サンプリング）回路９８によってノイズ除去が行われた後に、ＡＭＰ（増幅器）９９にて増幅され、Ａ／Ｄ変換器１００に入力される。このＡ／Ｄ変換器１００によってＲ，Ｇ，Ｂの画像データに変換される。Ａ／Ｄ変換器１００からの画像データは、画像信号処理部１０６に入力される。
【００５１】
バス１０５は、マイクロコンピュータ９１や画像信号処理部１０６や、内部メモリ１０８等を相互に接続している。このバス１０５に接続された各部は、それを介してマイクロコンピュータ９１によって制御されるとともに、相互間でデータの授受を行うことが可能になっている。
【００５２】
画像信号処理部１０６は、スルー画像を表示する際には、Ａ／Ｄ変換器１００からの画像データに対して、γ補正やホワイトバランス補正，コントラスト補正等の画像処理を行い、処理済の画像データをドライバ１０９に送る。また、静止画の撮影時には、画像信号処理部１０６は、上記画像処理に加えて、Ｒ，Ｇ，Ｂの画像データを輝度信号と色差信号とに対応するＹ，Ｃｂ，Ｃｒの画像データに変換するＹＣ変換処理，その画像データを所定の圧縮形式、例えばＪＰＥＧ形式に圧縮する圧縮処理を行うとともに、情報生成部１０７で生成された撮影付加情報をタグとして画像データに付加する。さらに、再生モード下では、画像信号処理部１０６は、メモリーカード１１１から読み出した画像データを伸長する伸長処理、Ｙ，Ｃｂ，Ｃｒの画像データをＲ，Ｇ，Ｂの画像データに変換するＲＧＢ変換処理を行う。このＲＧＢ変換処理が終了した後、画像信号処理部１０６は、撮影付加情報が付加された画像データをメディアコントローラ１１０に送る。
【００５３】
情報生成部１０７は、シャッタボタンが操作されたときに、撮影時の設定情報や、撮影時の日時や時刻を示す撮影時刻情報等からなる撮影付加情報を生成する。この撮影付加情報は、画像信号処理部１０６に送られ、画像信号処理部１０６によって圧縮処理された画像データに付加される。
【００５４】
内部メモリ１０８は、メモリーカード１１１に記録するための処理中の画像データや、再生中の撮影画像の画像データとそれに対応する撮影付加情報が記録される。これらの各種データは、処理に応じてマイクロコンピュータ９１，画像信号処理部１０６によって読み出される。
【００５５】
ドライバ１０９は、入力されるデータに基づいてＬＣＤ１１２を駆動する。撮影モード下では、Ａ／Ｄ変換器１００からの画像データが画像信号処理部１０６で画像処理されて、次々にドライバ１０９に送られる。これによりＬＣＤ１１２には、スルー画像が表示される。また、再生モードの場合には、メモリーカード１１１から読み出され、画像信号処理部１０６で伸長処理、ＲＧＢ変換処理が行われた画像データがドライバ１０９に送られることにより、メモリーカード１１１に記録されている撮影画像がＬＣＤ１１２に表示される。
【００５６】
メディアコントローラ１１０は、メモリーカード１１１の読み出し及び書き込みを行う。撮影モード時では、レリーズボタンの操作に応答して撮影された１フレーム分の画像データが画像信号処理部１０６からメディアコントローラ１１０に入力されて、メモリーカード１１２に記録される。また、再生モード下では、メディアコントローラ１１０は、メ
モリーカード１１２から画像データを読み出して画像信号処理部１０６に送る。なお、記
録媒体としては、メモリーカードに限らず、デジタルカメラに内蔵されたメモリ等であってもよい。通信Ｉ／Ｆ（インタフェース）１１３はコネクタを有し、そのコネクタを介してカーナビゲーション装置１１５が接続される。
【００５７】
カーナビゲーション装置１１５は、マイクロコンピュータ１１６によって統括的に制御され、例えば、ナビゲーション装置１１５に設けられた操作部１１７の操作によって出力される信号に基づいて各部の処理を実行させる。マイクロコンピュータ１１６は、ＣＰＵや制御プログラムや参照データ等が記録されたＲＯＭ、ＣＰＵの各種演算処理を行う際の作業エリアとなるＲＡＭ等から構成される。このマイクロコンピュータ１１６は時計回路１１８を備えており、マイクロコンピュータ１１６は、この時計回路１１８を参照することによって、データ作成部１２２を所定時間毎に作動させる。
【００５８】
また、マイクロコンピュータ１１６は、デジタルカメラ９０が接続されたときに、内部メモリに記憶された機種情報から、デジタルカメラの機種の判別を行った後に、該デジタルカメラを大容量記憶装置として認識する。また、デジタルカメラ９０の内部メモリ１０８を参照して、最後に接続された時刻を示す時刻情報を読み出す。さらに、マイクロコンピュータ１１６は、デジタルカメラ９０に挿し込まれたメモリーカード１１１を参照して、撮影時刻情報から得られる撮影時刻が最後に接続された時刻以降である画像データを読み出して、内部メモリ１２６に書き込む。そして、内部メモリ１２６に書き込まれた全ての画像データに対して撮影位置情報が付加されると、デジタルカメラ９０の内部メモリ１０８に書き込まれた時刻情報を新たな時刻情報に書き換える。なお、デジタルカメラ９０の内部メモリ１０８に対して接続された時刻を示す時刻情報を書き込むようにしたが、これに限定する必要はなく、カーナビゲーション装置１１５の内部メモリ１２６に、デジタルカメラ９０とカーナビゲーション装置１１５とが接続された時刻を示す時刻情報を書き込むようにしてもよい。
【００５９】
このマイクロコンピュータ１１６には、バス１２０を介してＧＰＳモジュール１２１、データ作成部１２２、情報生成部１２３、データ処理部１２４、ディスクドライブ１２５、内部メモリ１２６等が接続され、それら間でデータの授受が行われる。また、この他に、通信Ｉ／Ｆ１２７が接続されており、外部装置との接続が可能となっている。
【００６０】
ＧＰＳモジュール１２１は、ＧＰＳアンテナ１２８を介して複数のＧＰＳ衛星１３０からの信号を受信することにより、カーナビゲーション装置１１５の位置（緯度、経度）、つまり現在の車両の位置を現在位置情報として出力する。
【００６１】
データ作成部１２２は、カーナビゲーション装置１１５に給電が開始されることを契機にして作動し、作動したときの時刻と、ＧＰＳモジュール１２１から出力された位置情報とを関連付けた位置データを作成し、内部メモリ１２６に記憶する。また、データ作成部１２２は、所定時間が経過する毎に作動して位置データを作成し、内部メモリ１２６に記憶していく。データ作成部１２２で作成された複数の位置データは、テーブルデータ１３１としてまとめられて内部メモリ１２６に記憶される。なお、カーナビゲーション装置１２２は、自動車等の車両に設置されているため、時間単位でテーブルデータの作成を行うと、その間の経路が特定できなくなるので、データ作成部１２２の作動間隔は、分単位で行われることが好ましい。このため、本実施形態では、５分間隔でデータ作成部１２２が作動するものとして説明する。また、カーナビゲーション装置１１５への給電が停止された際にも、データ作成部１２２による位置データの作成が行われ、該位置データが内部メモリ１２６に書き込まれる。
【００６２】
情報生成部１２３は、デジタルカメラ９０の内部メモリ１０８に書き込まれた、最後に接続モードに移行したときの時刻がマイクロコンピュータ１１６によって読み出されたときに作動し、内部メモリ１２６に記憶された画像データの撮影時刻情報と、内部メモリ１２６に記憶されたテーブルデータ１３１とから、撮影された位置（緯度、経度等）を示す撮影位置情報を生成する。
【００６３】
データ処理部１２４は、情報生成部１２３によって生成された撮影位置情報を、画像データに付加するために設けられている。なお、画像データには撮影付加情報が予め付加されているので、情報生成部１２３によって生成された撮影位置情報は、そのまま画像データにタグとして付加される。なお、撮影位置情報が付加された画像データは、通信Ｉ／Ｆ１２７を介してメディアコントローラ１１０に送られる。
【００６４】
ディスクドライブ１２５は、例えば、ＣＤ−ＲＯＭやＤＶＤ−ＲＯＭ等の光学記録媒体や、がセットされるドライブの他に、ハードディスクドライブ等のディスクドライブからなる。このディスクドライブ１２５にセットされる記録媒体には、地図や、地名等のテキスト情報を含む地図情報が記録されており、ＧＰＳモジュール１２１によって得られた現在位置情報から、現在の現在位置付近の地図情報を読み出して、ＬＣＤ１３２上に地図画像を表示し、さらに表示された地図画像上に現在の車両の位置を示す指標を重ねて表示する。なお、符号１３３はドライバであり、ＬＣＤ１３２の表示制御を行うものである。
【００６５】
次に、第２実施形態における作用について説明する。まず、自動車のエンジンを始動させると、カーナビゲーション装置１１５に給電が行われ、カーナビゲーション装置１１５が起動する。このカーナビゲーション装置１１５が起動すると、ＧＰＳ衛星１３０からの信号をＧＰＳアンテナ１２８が受信するので、ＧＰＳモジュール１２１から位置情報が出力される。また、カーナビゲーション装置１１５の起動によりデータ作成部１２２が作動し、給電が行われたときの時刻と、そのときの位置を対応付けた位置データを作成し、内部メモリ１２６にテーブルデータ１３１として記憶する。なお、マイクロコンピュータ１１６は時計回路１１７を備えているから、マイクロコンピュータ１１６は、例えば５分おきにデータ作成部１２２を作動させ、作成された位置データをテーブルデータ１３１として内部メモリ１２６に書き込む。なお、目的地まで自動車で移動しエンジンを停止させると、カーナビゲーション装置１１５に対する給電が停止されるので、マイクロコンピュータ１１６はデータ作成部１２２を作動させて、位置データを内部メモリ１２６に書き込む。このようにして、自動車で移動を行った場合には、５分おきに位置データが作成され、内部メモリ１２６にテーブルデータ１３１として記憶されていく。
【００６６】
例えば目的地にてデジタルカメラ９０を用いて撮影を行って次の目的地まで自動車で移動する間に、デジタルカメラ９０と、カーナビゲーション装置１１５とを接続する。図９に示すように、デジタルカメラ９０と、カーナビゲーション装置１１５とを接続すると、カーナビゲーション装置１１５のマイコンピュータ１１６は、接続されたデジタルカメラ９０の内部メモリ１０８を参照して、デジタルカメラ１０８の種類を識別した後に、該デジタルカメラ１０８を大容量記憶装置として認識する。また、マイクロコンピュータ１１６は、デジタルカメラ９０の内部メモリ１０８を参照して、最後に接続された時刻を示す時刻情報を読み出す。マイクロコンピュータ１１６は、読み出した時刻情報と、メモリーカード１１３に書き込まれた画像データの撮影時刻情報とから、撮影時刻情報が示す撮影時刻が、最後に接続された時刻以降であるか否かの判別を行い、撮影時刻が最後に接続された時刻以降である画像データをカーナビゲーション装置１１５の内部メモリ１２６に書き込む。なお、撮影時刻が最後に接続された時刻以降となる画像データが無い場合には、マイコンピュータ１１６は、デジタルカメラ９０の内部メモリ１０８に書き込まれた時刻を消去して、新たに接続された時刻を書き込む。
【００６７】
撮影時刻が最後に接続された時刻以降となる画像データがある場合には、情報生成部１２３が作動し、内部メモリ１２６に書き込まれた画像データの撮影時刻情報と、テーブルデータ１３１とを参照して、撮影された位置を示す撮影位置情報を生成する。この撮影位置情報はデータ処理部１２４に送られ、データ処理部１２４において、撮影位置情報が画像データにタグとして付加される。この処理が、カーナビゲーション装置１１５の内部メモリ１２６に書き込まれた全ての画像データに対して行われる。そして、マイコンピュータ１１６は、デジタルカメラ９０の内部メモリ１０８に書き込まれた時刻情報を書き換える。これにより、撮影時に撮影位置情報を取得する必要が無くなるので、撮影時の手間を省くことができる。また、デジタルカメラ自体に、ＧＰＳ機能を搭載する必要が無くなるので、デジタルカメラの製造コスト、或いは価格を上げる必要がない。
【００６８】
第２実施形態の場合、撮影位置情報を経度、緯度の他に、地名や、ランドマークの名称とすることも可能である。以下では、第２実施形態と同様の機能を有する箇所については、同一の符号を付して説明する。上述したように、カーナビゲーション装置１１５は、ディスクドライブ１２５にセットされた記憶媒体から現在の現在位置付近の地図情報を読み出して、ＬＣＤ１３２上に地図画像を表示するように構成されており、また、ディスクドライブ１２５にセットされる記憶媒体には、地名となるテキストデータが記憶されているので、カーナビゲーション装置１１５の内部メモリ１２６に書き込まれる位置データに記憶媒体に記憶されたテキストデータから得られる地名或いはランドマークの名称を時刻とともに関連付けて位置データを作成する。そして、内部メモリ１２６にテーブルデータとして記憶する。これによれば、撮影位置情報が、ランドマークの名称や地名となるので
撮影後にファイルをＰＣ等で読み込んだときにわかりやすいので、画像データの分別を容易に行うことができる。
【００６９】
さらに、撮影位置情報を、地名やランドマークの名称とする場合には、デジタルカメラに差し込まれたメモリーカード内の画像データを整理することができる。この場合、図１０（ａ）に示すように、デジタルカメラを使用して撮影を行った場合には、メモリーカードには、ルートディレクトリの中に、デジタルカメラ名となるフォルダが作成され、そのフォルダ内に、撮影時に得られた画像データが書き込まれている。
【００７０】
図１１に示すように、まず、画像データに撮影時刻情報を付加した後に、付加された撮影時刻情報に基づいて、撮影された日時と、特定された位置情報に基づいたランドマークの名称とを関連付けた位置データからなる管理用データを作成する（図１２参照）。これらを全ての画像データに対して行う。
【００７１】
図１２に示すように、マイクロコンピュータ１１６は、管理用データを参照して、メモリーカード１１１に作成したルートディレクトリ内に、例えばフォルダ名「２００５／０５／０１  遊園地○○○○」や、フォルダ名「２００５／０５／０１  レストラン○○○○」等のフォルダを作成する。例えば、「００２．ｊｐｇ」や「００３．ｊｐｇ」は、ランドマークの名称が、「遊園地○○○○」であるから、これら画像データは、フォルダ名「２００５／０５／０１  遊園地○○○○」のフォルダ内に移動される。同様にして他の画像データに対しても行われる。これにより、図１０（ｂ）に示すように、デジタルカメラに差し込まれたメモリーカード１１１の内部に書き込まれた画像データが、同一の撮影日、且つ同一の撮影場所のフォルダ毎に分類された状態となる。これにより、多くの撮影を行った場合に、それぞれの撮影場所における画像データを分類する手間を省くことができる。なお、この場合、画像データ自体をフォルダ毎に分類する必要はなく、例えば作成された位置データをまとめたテーブルデータを作成しておき、メモリーカードに書き込んでおくことも可能である。この場合、撮影後に、ＰＣ等でテーブルデータを読み出せるようにしておけば、テーブルデータと、画像データとを参照しながら、容易に分類することができる。
【図面の簡単な説明】
【００７２】
【図１】位置情報記録システムの構成を示す斜視図である。
【図２】デジタルカメラの前面の外観を示す斜視図である。
【図３】デジタルカメラの後面の外観を示す斜視図である。
【図４】第１実施形態のデジタルカメラと、カーナビゲーション装置とのそれぞれの電気的構成を示す機能ブロック図である。
【図５】位置情報を記録する流れを示すフローチャートである。
【図６】テーブルデータの内容を示す説明図である。
【図７】移動中に撮影が行われたときに得られた画像データに対する撮影位置を特定する場合を示す説明図である。
【図８】第２実施形態のデジタルカメラと、カーナビゲーション装置とのそれぞれの電気的構成を示す機能ブロック図である。
【図９】位置情報を記録する流れを示すフローチャートである。
【図１０】撮影位置情報が付加されていない場合のメモリーカードに記録されている画像データの構成（ａ）と、撮影位置情報が付加された場合のメモリカードに記録されている画像データの構成（ｂ）との一例をそれぞれ示す説明図である。
【図１１】撮影位置情報が付加された画像データを整理する際の流れを示すフローチャートである。
【図１２】管理用データの一例を示す説明図である。
【符号の説明】
【００７３】
１０  位置情報記録システム
１１  デジタルカメラ
１２  カーナビゲーション装置
４５、７０、９１、１１６  マイクロコンピュータ
３７、１１１  メモリーカード
４６、７２、９２、１１８  時計回路
６０、１０６  画像信号処理部
６１、７７、１０８、１２６  内部メモリ
６５、１２３  情報生成部
７５、１２２  データ作成部
７９、１３１  テーブルデータ
１２４  データ処理部
【図１】
2007089075.tif 000003
【図２】
2007089075.tif 000004
【図３】
2007089075.tif 000005
【図４】
2007089075.tif 000006
【図５】
2007089075.tif 000007
【図６】
2007089075.tif 000008
【図７】
2007089075.tif 000009
【図８】
2007089075.tif 000010
【図９】
2007089075.tif 000011
【図１０】
2007089075.tif 000012
【図１１】
2007089075.tif 000013
【図１２】
2007089075.tif 000014